(57)【要約】【課題】  複数のパケット中継装置を保守用端末から遠隔保守する場合において、保守用端末からの設定変更要求により不意に経路切断が行われるのを未然に防止することが可能なパケット中継装置を提供する。【解決手段】  ＬＡＮ１を介して複数のパケット中継装置２および保守用端末３が接続された構成で、保守用端末３からの設定変更要求がパケット中継装置２に届いたとき、処理部７において保守用端末３との通信に使用しているインタフェース５ａのＩＰアドレスまたは経路情報の変更であると判断された場合に、保守用端末３に対して処理を継続するか否かの再確認要求を行えるようにした。【選択図】        図１
2005223790.tif 000002
【特許請求の範囲】
【請求項１】
保守用端末からの設定変更要求の有無を検出する変更要求検出手段と、この変更要求検出手段により上記保守用端末からの設定変更要求を検出した場合にはこれに応じて上記保守用端末との通信に使用するＩＰアドレスあるいは経路情報の変更であるか否かを判定する判定手段と、この判定手段により上記保守用端末との通信に使用するＩＰアドレスあるいは経路情報の変更であると判定された場合には上記保守用端末に対して設定変更要求の再確認を求める再確認要求を送る要求再確認手段を備えることを特徴とするパケット中継装置。
【発明の詳細な説明】
【技術分野】
【０００１】
本発明は、広域ネットワークにおいて、ネットワーク間を接続してパケットの中継を行うパケット中継装置に関するものである。
【背景技術】
【０００２】
従来、ローカルエリアネットワーク（ＬＡＮ）などの複数のネットワーク相互間を接続して広域ネットワークを構成する場合には、ＬＡＮ相互間にパケット中継装置を配置し、各パケット中継装置内に予め登録されている各ＩＰアドレスに対応した経路情報に基づいてパケットを中継するようにしている。
【０００３】
このような広域ネットワークに使用されるパケット中継装置においては、ＬＡＮの拡張などに伴ってパケット中継装置においてＩＰアドレスや経路情報などの各種情報を変更するなどの必要性が生じる。このため、従来、ＬＡＮに接続された保守用端末により各種の設定情報をパケット中継装置に送出することにより、パケット中継装置の遠隔保守を行えるようにしたものがある（例えば、特許文献１参照）。
【０００４】
すなわち、従来のパケット中継装置では、ＬＡＮに接続された保守用端末からＩＰアドレスや経路情報などの各種設定情報を所定のパケット中継装置に送出して当該パケット中継装置の設定内容を変更できるようにしている。これにより、各パケット中継装置が設置されている場所まで出向かなくても保守用端末から各パケット中継装置にアクセスすることで遠隔保守を行うことができる。
【０００５】
【特許文献１】特開平８−１８２０５７号公報（第６−９頁、第１図）
【発明の開示】
【発明が解決しようとする課題】
【０００６】
このように、保守用端末からパケット中継装置に登録されているＩＰアドレスや経路情報などを設定変更することが可能であるが、従来は、その際の変更内容に対しては何らチェック機能が設けられていなかった。
【０００７】
そのため、変更内容や手順によっては、アドレス情報や経路情報等の設定情報が不意に書き換えられてしまい、保守用端末から当該パケット中継装置に対して遠隔でアクセスできなくなるという不具合を生じていた。しかも、このような不具合を生じると、保守用端末からは他のパケット中継装置に対してもアクセスができなくなって、他のパケット中継装置の保守も行えなくなるという問題を生じていた。
【０００８】
本発明は、上記のような課題を解決するためになされたものであって、遠隔保守作業中にパケット中継装置に対して不意にアクセスできなくなるといった不具合が発生するのを未然に回避することが可能なパケット中継装置を提供することを目的とする。
【課題を解決するための手段】
【０００９】
上記の目的を達成するために、本発明に係るパケット中継装置は、保守用端末からの設定変更要求の有無を検出する変更要求検出手段と、この変更要求検出手段により上記保守用端末からの設定変更要求を検出した場合にはこれに応じて上記保守用端末との通信に使用するＩＰアドレスあるいは経路情報の変更であるか否かを判定する判定手段と、この判定手段により上記保守用端末との通信に使用するＩＰアドレスあるいは経路情報の変更であると判定された場合には上記保守用端末に対して設定変更要求の再確認を求める再確認要求を送る要求再確認手段とを備えることを特徴としている。
【発明の効果】
【００１０】
本発明によれば、パケット中継装置と保守用端末の間での到達性が失われるような設定変更要求をパケット中継装置が受信した場合には、保守用端末からの変更要求に応じた設定を直ちに反映させずに、保守用端末に対して再確認要求を送るようにしているので、保守用端末側では今回の変更設定内容が正しいか否かを再確認することができる。このため、保守用端末からパケット中継装置に対して不意にアクセスできなくなるといった不具合発生を未然に回避することができる。そして、保守用端末が今回の設定変更が正しいと判断すれば、パケット中継装置に対して強制的に設定変更処理を続行させることが可能になる。
【発明を実施するための最良の形態】
【００１１】
実施の形態１．
図１は本発明の実施の形態１におけるパケット中継装置および保守用端末がＬＡＮを介して接続されて広域ネットワークが構成されている状態を示すブロック図である。
【００１２】
この実施の形態１では、複数のＬＡＮ１相互間がパケット中継装置２を介して接続されて広域ネットワークが構成されている。この場合の各ＬＡＮ１の通信方式としては、例えば、ＩＥＥＥ８０２．３により規格化されたＣＳＭＡ／ＣＤ方式が適用される。また、広域ネットワーク（ＷＡＮ）と称されるネットワークも本発明においてはＬＡＮ１に包含される場合がある。なお、ここでは説明を容易にするために２つのパケット中継装置２のみを示しているが、通常は多数のＬＡＮ１相互間を接続するために更に多数のパケット中継装置２が配置される。
【００１３】
さらに、一つのＬＡＮ１には保守用端末３が接続されている。そして、ＬＡＮ１と接続される各パケット中継装置２の後述するインタフェース部５ａ，５ｂおよび保守用端末８の図示しないインタフェース部にはそれぞれ固有のＩＰアドレス等のアドレスが割り当てられている。
【００１４】
上記の各パケット中継装置２は、基本的に同じ構成のものであって、インタフェース部５ａ，５ｂ、パケット中継部６、および処理部７を有する。パケット中継部６は、受信したパケットについて処理部７に取り込むべきか、そのままインタフェイス部５ａ，５ｂを介して他のパケット中継装置２に転送すべきかの判断処理を行うものである。また、処理部７は、情報記憶手段７ａ、変更要求検出手段７ｂ、判定手段７ｃ、および要求再確認手段７ｄを備えている。
【００１５】
情報記憶手段７ａには、パケットに対して付与される送出先の各ＩＰアドレスに対応してパケットをいずれのＬＡＮ１を経由して送出すべきかを表す経路情報がテーブル化されて格納されている。つまり、各ＬＡＮ７を経由してパケットを中継すべき各パケット中継装置１のインタフェース部５ａ，５ｂに対応付けるための経路情報が格納されている。また、この情報記憶手段７ａには、自己のインタフェイス部５ａ，５ｂのＩＰアドレス、および保守用端末３のＩＰアドレスが記憶されている。
【００１６】
変更要求検出手段７ｂは、保守用端末３からの設定変更要求の有無を検出するものである。また、判定手段７ｃは、この変更要求検出手段７ｂにより保守用端末３からの設定変更要求を検出した場合にはこれに応じて情報記憶手段７ａの記憶内容を参照して保守用端末３との通信に使用するＩＰアドレスあるいは経路情報の変更であるか否かを判定するものである。
【００１７】
要求再確認手段７ｄは、この判定手段７ｃにより保守用端末３との通信に使用するＩＰアドレスあるいは経路情報の変更であると判定された場合には、保守用端末３に対して設定変更要求の再確認を求める再確認要求を送るものである。
【００１８】
一方、保守用端末３には、各パケット中継装置２の情報記憶手段７ａに登録されているＩＰアドレスや経路情報などを設定変更できるように、各パケット中継装置２ごとのＩＰアドレスが予め登録されている。これにより、保守用端末３は、各パケット中継装置２との間でパケット送信を行えるようになっている。
【００１９】
この場合、保守用端末３からパケット中継装置２を管理するＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のアプリケーションプロトコルとして、例えば、ＨＴＴＰ（Ｈｙｐｅｒ  Ｔｅｘｔ  Ｔｒａｎｓｆｅｒ  Ｐｒｏｔｏｃｏｌ）、ＴＥＬＮＥＴ（Ｔｅｌｅｃｏｍｍｕｎｉｃａｔｉｏｎ  Ｎｅｔｗｏｒｋ）等があるので、この実施の形態１においては、このＨＴＴＰとＴＥＬＮＥＴを適用する。すなわち、パケット中継装置２がサーバ、保守用端末３がクライアントとなり、保守用端末３からの要求を受けパケット中継装置２が応答を返し、要求内容によっては自装置２の設定を変更するものである。
【００２０】
次に、上記構成を備えたパケット中継装置２に対して保守用端末３から遠隔保守を行う場合において、パケット中継装置２の動作を図２に示すフローチャートを参照して説明する。なお、以下において符号Ｓは各処理のステップを意味する。
【００２１】
いま、パケット中継装置２において、保守用端末３から送信されたパケットがＬＡＮ１を介して受信されると、このパケットはインタフェイス部５ａからパケット中継部６を介して処理部７に入力される（Ｓ１）。
【００２２】
処理部７の変更要求検出手段７ｂは、パケットに含まれる情報に基づいて保守用端末３からの設定変更要求が自装置に関するものであるか否かを判定し（Ｓ２）、自装置に関する設定変更要求でない場合は、本来のパケット中継処理などの別処理へ処理を渡す（Ｓ３）。
【００２３】
これに対して、Ｓ２で保守用端末３からの設定変更要求が自装置に関するものである場合には、引き続いて、判定手段７ｃは、その設定変更内容がインタフェース部５ａ，５ｂに関するＩＰアドレスの変更であるか否か判定する（Ｓ４）。
【００２４】
保守用端末３からの変更要求がインタフェース部５ａ，５ｂに関するＩＰアドレスの変更要求である場合、判定手段７ｃは、情報記憶手段７ａに記憶されているインタフェイス部５ａ，５ｂに関するＩＰアドレスを検索し（Ｓ５）、現在の変更対象が保守用端末８との通信に用いるインタフェース（ここでは、図１中右側のインタフェース）５ａのＩＰアドレスか否かを判定する（Ｓ６）。
【００２５】
判定手段７ｃによって保守用端末３との通信に用いるインタフェース５ａのアドレス変更であると判定された場合には、要求再確認手段７ｄは、保守用端末３に対する確認要求パケットを生成し、このパケットをパケット中継部６から送信して処理継続するか否かの確認を行う（Ｓ７）。パケット中継装置２は、確認要求の結果、保守用端末３より継続の応答があれば（Ｓ８）、設定変更処理を続行する（Ｓ１３）。これに対して、Ｓ８で保守用端末３から継続の応答が無い場合には、その時点で処理を中止する（Ｓ９）。
【００２６】
一方、Ｓ４で保守用端末３からの設定変更内容が自装置のインタフェース部５ａ，５ｂに関するＩＰアドレスの変更でない場合、引き続いて、判定手段７ｃは、この設定変更内容に経路情報の変更が含まれているか否かを判定する（Ｓ１０）。そして、設定変更内容に経路情報の変更が含まれている場合には、情報記憶手段７ａに登録されている経路情報に基づいて保守用端末３への宛先を持つエントリを検索し（Ｓ１１）、保守用端末３への宛先を持つエントリが変更されるか否かを判定する。つまり、保守用端末３との通信に使用する経路情報の変更であるか否かを判定する（Ｓ１２）。
【００２７】
判定手段７ｃによって保守用端末３との通信に使用する経路情報の変更であると判定された場合には、要求再確認手段７ｄは、保守用端末３に対する確認要急パケットを生成し、このパケットをパケット中継部６から送信して処理継続するかどうかの確認を行う（Ｓ７）。パケット中継装置３は、確認要求の結果、保守用端末３より継続の応答があれば（Ｓ８）、設定変更処理を続行する（Ｓ１３）。これに対して、Ｓ８で保守用端末３から継続の応答が無い場合には、その時点で処理を中止する（Ｓ９）。一方、Ｓ１２において、保守用端末３との通信に使用する経路変更でない場合には、設定変更処理をそのまま続行する（Ｓ１３）。
【００２８】
以上のように、この実施の形態１においては、保守用端末３からの設定変更要求がパケット中継装置２と保守用端末３の間でのパケットの到達性が失われるような内容のものである場合には、保守用端末３からの変更要求に応じた設定を直ちに反映させずに、保守用端末３に対して再確認要求を送るようにしているので、保守用端末３側では今回の変更設定内容が正しいか否かを再確認することができる。このため、保守用端末３からパケット中継装置２に対して不意にアクセスできなくなるといった不具合発生を未然に回避することができる。そして、再確認要求を受けた保守用端末３が今回の設定変更は間違っていないと判断すれば、パケット中継装置２に対して強制的に設定変更処理を続行させることが可能になる。また、この設定変更内容を判断する手段をパケット中継装置２側に設けたことにより、保守用端末３には特別なアプリケーションを追加することなく実現することが可能になる。
【００２９】
なお、上記の実施の形態１では、保守用端末３との通信に使用する経路変更であるか否かを判定するために、情報記憶手段７ａに登録されている経路情報のエントリ変更があるか否かを条件として判定しているが、パケット中継装置においてＲＩＰ（Ｒｏｕｔｉｎｇ  Ｉｎｆｏｒｍａｔｉｏｎ  Ｐｒｏｔｏｃｏｌ）、ＯＳＰＦ（Ｏｐｅｎ  Ｓｈｏｒｔｅｓｔ  Ｐａｔｈ  Ｆｉｒｓｔ）、ＢＧＰ（Ｂｏｒｄｅｒ  Ｇａｔｅｗａｙ  Ｐｒｏｔｏｃｏｌ）等の動的に経路情報テーブルを作成するルーティングプロトコルが使用可能な場合は、このルーティングプロトコルに関する設定が変更される場合を条件に含めることにより、保守用端末３との間の通信経路が途切れるか否かの判定を行うことができる。
【図面の簡単な説明】
【００３０】
【図１】本発明の実施の形態１におけるパケット中継装置および保守用端末がＬＡＮを介して接続されて広域ネットワークが構成されている状態を示すブロック図である。
【図２】本発明のパケット中継装置において、保守用端末から遠隔保守を行う場合の動作説明に供するフローチャートである。
【符号の説明】
【００３１】
１  ＬＡＮ、２  パケット中継装置、３  保守用端末、
５ａ，５ｂ  インタフェース部、７  処理部、７ａ  情報記憶手段、
７ｂ  変更要求検出手段、７ｃ  判定手段、７ｄ  要求再確認手段。
【図１】
2005223790.tif 000003
【図２】
2005223790.tif 000004